(57)【要約】【課題】切削工具とともに締結ボルト等の締結部品を同梱しても蓋の一部が盛り上がることなく収納することができる工具収容ケースを提供する。【解決手段】回転軸に装着される装着口を中央部に備えた基盤と、基盤の外周に装着された切れ刃とを備えた切削工具を収容する工具収容ケースであって、底板と、底板上に配設され切削工具の形状に切り抜かれ切削工具を収容する工具収容部を備えた収容板と、工具収容部を覆う蓋板とを具備し、収容板には、工具収容部に隣接して基盤を回転軸に装着するための締結部品を収容する締結部品収容部が形成されている。【選択図】図５
2017088201.tif 000002
【特許請求の範囲】
【請求項１】
回転軸に装着される装着口を中央部に備えた基盤と、該基盤の外周に装着された切れ刃とを備えた切削工具を収容する工具収容ケースであって、
底板と、該底板上に配設され切削工具の形状に切り抜かれ切削工具を収容する工具収容部を備えた収容板と、該工具収容部を覆う蓋板と、を具備し、
該収容板には、該工具収容部に隣接して該基盤を回転軸に装着するための締結部品を収容する締結部品収容部が形成されている、
ことを特徴とする工具収容ケース。
【請求項２】
該底板と該収容板および該蓋板は、ダンボール板によって形成される、請求項１記載の工具収容ケース。
【請求項３】
該底板は矩形状に形成され、該蓋板は、該底板の互いに平行な第１の縁辺および第２の縁辺から外方に連続して形成され該収容板の工具収容部に収容された切削工具を押える観音開きに折り曲げ可能な一対の内蓋と、該底板の第１の縁辺および第２の縁辺と直交する互いに平行な第３の縁辺および第４の縁辺から外方に連続して形成され該一対の内蓋を覆う観音開きに折り曲げ可能な一対の外蓋とから構成され、該一対の内蓋の一方には、該締結部品収容部に対応する部品開口部が形成されている、請求項１又は２記載の工具収容ケース。
【請求項４】
該一対の内蓋と該一対の外蓋は、面ファスナーで締結される、請求項３記載の工具収容ケース。
【請求項５】
該一対の外蓋は中央で互いに接触するように形成され、互いに接触する領域に指を入れて開梱するための開梱摘みが形成されている、請求項３記載の工具収容ケース。
【発明の詳細な説明】
【技術分野】
【０００１】
本発明は、道路カッターや金属切断工具等の切削工具を収容するための工具収容ケースに関する。
【背景技術】
【０００２】
道路カッターや金属切断工具等の切削工具は、円盤状基盤の外周にダイヤモンド砥粒をメタルボンドで固め切れ刃となるセグメントを複数配設し、円盤状基盤の中央部に形成された装着口を切削装置の回転軸に装着して道路や金属等を切削する。
【０００３】
このような切削工具は、セグメントの破損防止および搬送者の怪我防止または保管のために収容ケースに収容されて流通または保管される。収容ケースは一般に段ボール板によって構成され、切削工具のみを収容する構成となっている（例えば、特許文献１参照）。
【先行技術文献】
【特許文献】
【０００４】
【特許文献１】特開２００５−１５３９８６号公報
【発明の概要】
【発明が解決しようとする課題】
【０００５】
切削工具の中には円盤状基盤の中央部に形成された装着口の周りに締結ボルトが挿入されるボルト穴が設けられたタイプのものがあり、利用者から締結ボルトも収容ケースに同梱してほしいとの要望がある。
しかるに、収容ケースに締結ボルトを同梱すると蓋の一部が盛り上がり、収容ケースを複数積み重ねると不安定となって荷崩れが生じるとともに、積み重ねた荷重によって盛り上がり部分が破損するという問題がある。
【０００６】
本発明は上記事実に鑑みてなされたものであり、その主たる技術的課題は、切削工具とともに締結ボルト等の締結部品を同梱しても蓋の一部が盛り上がることなく収納することができる工具収容ケースを提供することである。
【課題を解決するための手段】
【０００７】
上記主たる技術課題を解決するため、本発明によれば、回転軸に装着される装着口を中央部に備えた基盤と、該基盤の外周に装着された切れ刃とを備えた切削工具を収容する工具収容ケースであって、
底板と、該底板上に配設され切削工具の形状に切り抜かれ切削工具を収容する工具収容部を備えた収容板と、該工具収容部を覆う蓋板と、を具備し、
該収容板には、該工具収容部に隣接して該基盤を回転軸に装着するための締結部品を収容する締結部品収容部が形成されている、
ことを特徴とする工具収容ケースが提供される。
【０００８】
上記底板と収容板および蓋板は、ダンボール板によって形成される。
上記底板は矩形状に形成され、上記蓋板は、底板の互いに平行な第１の縁辺および第２の縁辺から外方に連続して形成され収容板の工具収容部に収容された切削工具を押える観音開きに折り曲げ可能な一対の内蓋と、底板の第１の縁辺および第２の縁辺と直交する互いに平行な第３の縁辺および第４の縁辺から外方に連続して形成され一対の内蓋を覆う観音開きに折り曲げ可能な一対の外蓋とから構成され、一対の内蓋の一方には、締結部品収容部に対応する部品開口部が形成されている。
上記一対の内蓋と一対の外蓋は、面ファスナーで締結される。
上記一対の外蓋は中央で互いに接触するように形成され、互いに接触する領域に指を入れて開梱するための開梱摘みが形成されている。
【発明の効果】
【０００９】
本発明による工具収容ケースは、底板と、該底板上に配設され切削工具の形状に切り抜かれ切削工具を収容する工具収容部を備えた収容板と、該工具収容部を覆う蓋板とを具備し、収容板には、工具収容部に隣接して切削工具の基盤を回転軸に装着するための締結部品を収容する締結部品収容部が形成されているので、切削工具を収容板に形成された工具収容部に収容するとともに、締結部品を締結部品収容部に収容して同梱することができる。そして、締結部品は収容板に形成された締結部品収容部に収容されるため、蓋板で覆っても一部が盛り上がることがない。従って、切削工具および締結部材を収容した工具収容ケースを複数積み重ねても不安定となって荷崩れが生じることがないとともに、積み重ねた荷重によって盛り上がり部分が破損するということもない。なお、締結部品収容部は、工具収容部が形成された収容板に工具収容部に隣接した余剰部分に形成されるので、工具収容ケースが大きくなることはない。
【図面の簡単な説明】
【００１０】
【図１】本発明に従って構成された工具収容ケースの構成部材を分解して示す斜視図。
【図２】本発明に従って構成された工具収容ケースの開放された状態を示す斜視図。
【図３】図２に示す工具収容ケースを構成する蓋板の一部を折りたたんだ状態を示す斜視図。
【図４】図２に示す工具収容ケースを構成する蓋板の全てを折りたたんだ状態を示す斜視図。
【図５】図２に示す工具収容ケースを構成する収容板に形成された工具収容部および締結部品収容部にそれぞれ切削工具および締結部品を収納した状態を示す斜視図。
【図６】本発明による工具収容ケースに収容される道路カッター用の切削工具および該切削工具を切削装置の回転軸に装着するための締結部品としての締結ボルトの斜視図。
【発明を実施するための形態】
【００１１】
以下、本発明に従って構成された工具収容ケースの好適な実施形態について、添付図面を参照して詳細に説明する。
【００１２】
図６には、本発明による工具収容ケースに収容される道路カッター用の切削工具および該切削工具を切削装置の回転軸に装着するための締結部品としての締結ボルトの斜視図が示されている。
図６に示す切削工具１０は、円盤状の基盤１１と、該基盤１１の外周に装着された複数個の切れ刃１２とからなっている。基盤１１は金属板によって例えば直径が３０ｃｍの円盤状に形成されており、中央部には図示しない切削装置の回転軸に装着される装着口１１１が形成されているとともに、該装着口１１１の周りに締結部品としての締結ボルト１３が挿通されるボルト穴１１２が設けられている。切れ刃１２は、それぞれダイヤモンド砥粒をメタルボンドで固めて形成されており、基盤１１の外周に周知の接着技術によって装着されている。
【００１３】
以上のように構成された切削工具１０を収容するための工具収容ケースについて説明する。図１には本発明に従って構成された工具収容ケースの構成部材を分解して示す斜視図が示されており、図２には本発明に従って構成された工具収容ケースの開放された状態の斜視図が示されている。
図１および図２に示す工具収容ケース２は、矩形状に形成された底板３と、該底板３と同じ大きさの矩形状に形成され上記切削工具１０を収容する工具収容部４１を備えた収容板４と、該工具収容部４１を覆う蓋板５とによって構成されている。これら底板３と収容板４および蓋板５は、ダンボール板によって形成されている。
【００１４】
上記工具収容ケース２を構成する収容板４は、上記切削工具１０の形状に切り抜かれた工具収容部４１が設けられているとともに、該工具収容部４１に隣接して上記締結部品としての締結ボルト１３を収容するための締結部品収容部４２が形成されている。このように形成された収容板４は、図２に示すように底板３上にボンド材によって固定されることが望ましい。
【００１５】
上記工具収容ケース２を構成する蓋板５は、底板３の互いに平行な第１の縁辺３１および第２の縁辺３２からそれぞれ外方に連続して形成された一対の内蓋５１、５２と、底板３の上記第１の縁辺３１および第２の縁辺３２と直交する互いに平行な第３の縁辺３３および第４の縁辺３４からそれぞれ外方に連続して形成された一対の外蓋５３、５４とからなっている。一対の内蓋５１、５２は、それぞれ底板３の上記第１の縁辺３１、第２の縁辺３２に沿って折り曲げ可能になっているとともに、該第１の縁辺３１、第２の縁辺３２から上記収容板４の厚みに相当する幅の第１の折り曲げ位置５１１、５２１で折り曲げ可能となっている。なお、このように形成された一対の内蓋５１、５２は、第１の縁辺３１と第１の折り曲げ位置５１１、第２の縁辺３２と第１の折り曲げ位置５２１で折り曲げることにより、図３に示すように観音開きの構成によって収容板４に形成された工具収容部４１に収容される工具を押えるとともに、それぞれの自由端縁辺５１０、５２０が中央で互いに接触するようになっている。なお、一方の内蓋５１には、図３に示すように折り曲げた状態で上記収容板４に形成された締結部品収容部４２と対応する領域に締結部品収容部４２と同じ大きさの部品開口部５１２が形成されている。従って、締結部品収容部４２の深さが２倍となり締結部品を収容することが可能となる。
【００１６】
また、上記一対の外蓋５３、５４は、それぞれ底板３の上記第３の縁辺３３、第４の縁辺３４に沿って折り曲げ可能になっているとともに、該第３の縁辺３３、第４の縁辺３４から上記収容板４の厚みと一対の内蓋５１、５２の厚みに相当する幅の第２の折り曲げ位置５３１、５４１で折り曲げ可能となっている。このように形成された一対の外蓋５３、５４は、第３の縁辺３３と第２の折り曲げ位置５３１および第４の縁辺３４と第２の折り曲げ位置５４１で折り曲げることにより、図４に示すように観音開きの構成によって一対の内蓋５１、５２を覆う。なお、一対の外蓋５３、５４は、図４に示すように一対の内蓋５１、５２を覆った状態で自由端縁辺５３０、５４０が中央で互いに接触するように形成され、互いに接触する領域に指を入れて開梱するための開梱摘み５３０ａ、５４０ａが形成されている。
【００１７】
図３を参照して説明を続けると、一対の内蓋５１、５２における収容板４に形成された工具収容部４１を覆った状態の上面には、マジックテープ（登録商標）などの面ファスナーを構成するループ面部材６１、６１が装着されている。一方、一対の外蓋５３、５４には、図４に示すように一対の内蓋５１、５２を覆った状態で一対の内蓋５１、５２に装着された面ファスナーを構成するループ面部材６１、６１と対向する位置に面ファスナーを構成するフック面部材６２、６２が装着されている（図３参照）。なお、面ファスナーを構成するループ面部材６１、６１を一対の外蓋５３、５４に装着し、フック面部材６２、６２を一対の内蓋５１、５２に装着してもよい。
【００１８】
図示の実施形態における工具収容ケース２は以上のように構成されており、以下、上記切削工具１０を収容する手順について説明する。
図２に示す一対の外蓋５３、５４および一対の内蓋５１、５２が開放された状態で、図５に示すように収容板４に形成された工具収容部４１に切削工具１０を収容する。また、収容板４に形成された締結部品収容部４２に締結部品としての締結ボルト１３を収容する。
【００１９】
上述したように、収容板４に形成された工具収容部４１に切削工具１０を収容するとともに、収容板４に形成された締結部品収容部４２に締結ボルト１３を収容したならば、一対の内蓋５１および５２をそれぞれ第１の縁辺３１と第１の折り曲げ位置５１１および第２の縁辺３２と第１の折り曲げ位置５２１で折り曲げことにより、図３に示すように収容板４に形成された工具収容部４１を覆う。このとき、収容板４には収容板４に形成された締結部品収容部４２と対応する領域に部品開口部５１２が形成されているので、締結部品収容部４２の深さが２倍となり締結ボルト１３を収容しても内蓋５１の上面から突出することはない。
【００２０】
次に、一対の外蓋５３、５４をそれぞれ第３の縁辺３３と第２の折り曲げ位置５３１および第４の縁辺３４と第２の折り曲げ位置５４１で折り曲げことにより、図４に示すように一対の内蓋５１、５２を覆う。この状態においては、一対の内蓋５１、５２に装着された面ファスナーを構成するループ面部材６１、６１（図３参照）と、一対の外蓋５３、５４に装着された面ファスナーを構成するフック面部材６２、６２（図３参照）とが対面して互いに係合し一対の内蓋５１、５２と一対の外蓋５３、５４は締結される。このように、図示の実施形態における工具収容ケース２は、切削工具１０を収容板４に形成された工具収容部４１に収容するとともに、締結ボルト１３を締結部品収容部４２に収容して同梱することができる。そして、締結部品としての締結ボルト１３は収容板４に形成された締結部品収容部４２に収容されるため、一対の内蓋５１、５２と一対の外蓋５３、５４で覆っても一部が盛り上がることがない。従って、切削工具１０および締結ボルト１３を収容した工具収容ケース２を複数積み重ねても不安定となって荷崩れが生じることがないとともに、積み重ねた荷重によって盛り上がり部分が破損するということもない。なお、締結部品収容部４２は、工具収容部４１が形成された収容板４の余剰部分に形成したので、工具収容ケース２が大きくなることはない。
【００２１】
次に、上述したように切削工具１０および締結ボルト１３を収容した工具収容ケース２から切削工具１０および締結ボルト１３を取り出す手順について説明する。
切削工具１０および締結ボルト１３が収容された図４に示す工具収容ケース２の状態から、一対の外蓋５３、５４の互いに接触する自由端縁辺５３０、５４０に形成された開梱摘み５３０ａ、５４０ａに指を入れて、一対の外蓋５３、５４の自由端縁辺５３０、５４０を上方に引き上げる。この結果、一対の内蓋５１、５２に装着されたループ面部材６１、６１と一対の外蓋５３、５４に装着されたフック面部材６２、６２との係合が外れ、一対の外蓋５３、５４が上記第２の折り曲げ位置５３１、５４１と第３の縁辺３３、第４の縁辺３４を支点として開放される。次に、一対の内蓋５１、５２の自由端縁辺５１０、５２０に指をかけて上方に引き上げる。この結果、一対の内蓋５１、５２は、上記第１の折り曲げ位置５１１、５２１と第１の縁辺３１、第２の縁辺３２を支点として開放され、図５に示すように収容板４に形成された工具収容部４１および締結部品収容部４２に収容された切削工具１０および締結ボルト１３が露出せしめられる。従って、収容板４に形成された工具収容部４１および締結部品収容部４２に収容された切削工具１０および締結ボルト１３を容易に取り出すことができる。
【００２２】
以上、本発明を切削工具としての道路カッターを収容する工具収容ケースに適用した例をについて説明したが、本発明は金属切断用の切削工具に適用しても同様の作用効果が得られる。
【符号の説明】
【００２３】
２：工具収容ケース
３：底板
４：収容板
４１：工具収容部
４２：締結部品収容部
５：蓋板
５１、５２：一対の内蓋
５３、５４：一対の外蓋
６１：面ファスナーのループ面部材
６２：面ファスナーのフック面部材
１０：切削工具
１１：円盤状の基盤
１１１：装着口
１１２：ボルト穴
【図１】
2017088201.tif 000003
【図２】
2017088201.tif 000004
【図３】
2017088201.tif 000005
【図４】
2017088201.tif 000006
【図５】
2017088201.tif 000007
【図６】
2017088201.tif 000008